(57)【要約】【課題】比較的手の小さい操作者や握力の弱い操作者であっても容易にラッチ解除操作用部材の回転操作を行うことができると共に、トングがラッチされているか否かを一見して認識することができるバックル装置を提供する。【解決手段】バックル装置１０は、ラッチ解除操作用部材２８を回転させることによりトングプレート２Ｌ，２Ｒのラッチが解除される。ラッチ解除操作用部材２８から放射方向にレバー３０が延出している。レバー３０に手や指を掛けて該レバー３０を揺動させることにより、ラッチ解除操作用部材２８を回転操作することができる。レバー３０は、トングプレート２Ｌ，２Ｒがラッチされているときにはラッチ解除操作用部材２８からバックル装置の後端側を指し示す如く延在しており、トングプレート２Ｌ，２Ｒがラッチされていないときには、バックル装置１０の側方を指向している。【選択図】  図１
2004148924.tif 000002
【特許請求の範囲】
【請求項１】
トングが挿入される挿入口と、該挿入口に挿入された該トングをラッチするためのラッチ機構と、該ラッチ機構によってラッチされた該トングのラッチを解除するためのラッチ解除操作用部材とを備え、該ラッチ解除操作用部材を回転させることにより該トングのラッチが解除されるよう構成されたバックル装置において、
該ラッチ解除操作用部材に回転操作用のレバーが設けられていることを特徴とするバックル装置。
【請求項２】
請求項１において、該レバーは、該バックル装置の外面に沿って該ラッチ解除操作用部材から放射方向に延出していることを特徴とするバックル装置。
【請求項３】
トングが挿入される挿入口と、該挿入口に挿入された該トングをラッチするためのラッチ機構と、該ラッチ機構によってラッチされた該トングのラッチを解除するためのラッチ解除操作用部材とを備え、該ラッチ解除操作用部材を回転させることにより該トングのラッチが解除されるよう構成されたバックル装置において、
ラッチ解除操作用部材２８がラッチ位置からラッチ解除位置まで回動されたときにカム機構によりラッチ機構のラッチを解除するよう構成したバックル装置であって、
該ラッチ解除操作用部材２８と一体に回動する軸体よりなるキングレバー２４と、
該キングレバー２４からその軸心と交叉方向に突設されたレバーピン４６と、
該キングレバー２４の軸心線と平行方向に移動可能なラッチプレート１８と、
該ラッチプレート１８に設けられており、該レバーピン４６が係合しており、
キングレバー２４の回動に伴って該ラッチプレート１８を移動させるカム山片４４と、
該ラッチプレート１８を該カム山片４４がレバーピン４６に押し付けられる方向に付勢するスプリング２２と、
該キングレバー２４の軸心線と平行方向に移動可能であり、挿入口１２に進出してトングをラッチしたラッチ姿勢と該挿入口１２から退避したラッチ解除姿勢とをとりうるラッチピン１６と、
該ラッチピン１６をラッチ方向に付勢するスプリング２０と、
該ラッチピン１６に設けられており、前記ラッチプレート１８に対しスプリング２０の付勢力によって押し付けられるフランジ１６ｂと、
該ラッチピンをラッチ姿勢に保つように該フランジ１６ｂに係合可能なラッチピンロック部材２６と、
トングに設けられており、該トングが前記挿入口１２に挿入されると該ラッチピンロック部材２６をフランジ１６から外れた位置に押し動かす突起６と、
挿入口１２に挿入されたトングを押し返すように付勢するエジェクタ４２及びスプリング４２ａと、
を備えてなり、前記スプリング２０とスプリング２２との付勢方向が同方向であることを特徴とするバックル装置。
【請求項４】
子供が座るチャイルドシート本体と、該チャイルドシート本体に座った子供の身体を拘束するためのハーネスと、該ハーネスに取り付けられたトングと、該トングが装着されるバックル装置とを有するチャイルドシートにおいて、
該バックル装置が請求項１ないし３のいずれか１項に記載のバックル装置であることを特徴とするチャイルドシート。
【発明の詳細な説明】
【０００１】
【発明の属する技術分野】
本発明は、チャイルドシート用として好適なバックル装置に関する。詳しくは、本発明は、ラッチ解除操作用部材を回転させることによりトングのラッチが解除されるよう構成されたバックル装置に関する。また、本発明は、このバックル装置を備えたチャイルドシートに関する。
【０００２】
【従来の技術】
チャイルドシートには、ハーネスに取り付けられたトングをラッチするためのバックル装置が設けられている。このバックル装置のラッチ解除機構として、ラッチ解除操作用部材を押し込むことによりトングのラッチが解除されるよう構成されたプッシュ式のものや、ラッチ解除操作用部材を回転させることによりトングのラッチが解除されるよう構成されたロータリー式のものなどがある。
【０００３】
特開昭６２−１３３９０１号には、ラッチ解除操作用部材として略円盤形状のハンドルが設けられ、このハンドルを回転させることによりトングのラッチが解除されるよう構成されたバックル装置が記載されている。
【０００４】
このハンドルには、周縁に沿って所定間隔にて複数個の指掛用の窪みが設けられている。操作者は、手でハンドルを把持し、この窪みを指掛かりにしつつ該ハンドルを回転させる。
【０００５】
【特許文献１】
特開昭６２−１３３９０１号
【０００６】
【発明が解決しようとする課題】
上記特開昭６２−１３３９０１号のバックル装置にあっては、女性等の比較的手の小さい操作者や握力の弱い操作者にとっては、ハンドルをしっかりと把持して該ハンドルに十分な回転トルクを加えることが難しいことがある。
【０００７】
本発明は、ラッチ解除操作用部材を回転させることによりトングのラッチが解除されるよう構成されたバックル装置において、比較的手の小さい操作者や握力の弱い操作者であっても容易にラッチ解除操作用部材の回転操作を行うことができるバックル装置を提供することを第１の目的とする。
【０００８】
本発明は、トングがラッチされたか否かを一見して認識することができるバックル装置を提供することを第２の目的とする。
【０００９】
さらに、本発明は、トングのラッチ及びラッチ解除のための機構が堅牢であるバックル装置を提供することを第３の目的とする。
【００１０】
本発明は、かかるバックル装置を備えたチャイルドシートを提供することを第４の目的とする。
【００１１】
【課題を解決するための手段】
本発明（請求項１）のバックル装置は、トングが挿入される挿入口と、該挿入口に挿入された該トングをラッチするためのラッチ機構と、該ラッチ機構によってラッチされた該トングのラッチを解除するためのラッチ解除操作用部材とを備え、該ラッチ解除操作用部材を回転させることにより該トングのラッチが解除されるよう構成されたバックル装置において、該ラッチ解除操作用部材に回転操作用のレバーが設けられていることを特徴とするものである。
【００１２】
かかる本発明のバックル装置にあっては、レバーに手や指を掛けてラッチ解除操作用部材を回転させることができるので、比較的手の小さい操作者や握力の弱い操作者であっても、ラッチ解除操作用部材の回転操作を容易に行うことが可能である。
【００１３】
本発明のバックル装置にあっては、レバーは、該バックル装置の外面に沿ってラッチ解除操作用部材の放射方向に延出していることが好ましい（請求項２）。このように構成した場合には、トングがラッチされているときと、トングのラッチを解除したときとのレバーの姿勢（傾き）の違いが明瞭である。そのため、トングをバックル装置に装着したときに、このレバーの姿勢の違いからトングがバックル装置にラッチされたか否かを一見して認識することができる。
【００１４】
本発明（請求項３）のバックル装置は、トングが挿入される挿入口と、該挿入口に挿入された該トングをラッチするためのラッチ機構と、該ラッチ機構によってラッチされた該トングのラッチを解除するためのラッチ解除操作用部材とを備え、該ラッチ解除操作用部材を回転させることにより該トングのラッチが解除されるよう構成されたバックル装置において、ラッチ解除操作用部材２８がラッチ位置からラッチ解除位置まで回動されたときにカム機構によりラッチ機構のラッチを解除するよう構成したバックル装置であって、該ラッチ解除操作用部材２８と一体に回動する軸体よりなるキングレバー２４と、該キングレバー２４からその軸心と交叉方向に突設されたレバーピン４６と、該キングレバー２４の軸心線と平行方向に移動可能なラッチプレート１８と、該ラッチプレート１８に設けられており、該レバーピン４６が係合しており、キングレバー２４の回動に伴って該ラッチプレート１８を移動させるカム山片４４と、該ラッチプレート１８を該カム山片４４がレバーピン４６に押し付けられる方向に付勢するスプリング２２と、該キングレバー２４の軸心線と平行方向に移動可能であり、挿入口１２に進出してトングをラッチしたラッチ姿勢と該挿入口１２から退避したラッチ解除姿勢とをとりうるラッチピン１６と、該ラッチピン１６をラッチ方向に付勢するスプリング２０と、該ラッチピン１６に設けられており、前記ラッチプレート１８に対しスプリング２０の付勢力によって押し付けられるフランジ１６ｂと、該ラッチピンをラッチ姿勢に保つように該フランジ１６ｂに係合可能なラッチピンロック部材２６と、トングに設けられており、該トングが前記挿入口１２に挿入されると該ラッチピンロック部材２６をフランジ１６から外れた位置に押し動かす突起６と、挿入口１２に挿入されたトングを押し返すように付勢するエジェクタ４２及びスプリング４２ａと、を備えてなり、前記スプリング２０とスプリング２２との付勢方向が同方向であることを特徴とするものである。
【００１５】
かかるバックル装置にあっては、トングを挿入口１２に挿入すると、突起６がラッチピンロック部材２６を押し動かしてラッチピン１６のフランジ１６ｂから該ラッチピンロック部材２６が外れる。そして、スプリング２０に押されたラッチピン１６が挿入口１２内に進出し、トングがラッチされる。
【００１６】
ラッチ解除操作用部材２８を回すと、キングレバー２４と共にレバーピン４６が回動し、カム山片４４を介してラッチプレート１８を移動させる。この移動するラッチプレート１８がフランジ１６ｂを介してラッチピン１６を退動させる。これにより、トングはエジェクタ４２に押されて挿入口１２から押し出される。
【００１７】
このバックル装置は、カム機構によりラッチプレートを進退させ、またラッチピンロック部材によりラッチピンを退避姿勢に保つものであり、機構が比較的簡易でしかも堅牢である。
【００１８】
本発明のチャイルドシートは、子供が座るチャイルドシート本体と、該チャイルドシート本体に座った子供の身体を拘束するためのハーネスと、該ハーネスに取り付けられたトングと、該トングが装着されるバックル装置とを有するチャイルドシートにおいて、該バックル装置としてかかる本発明のバックル装置を備えたものである。
【００１９】
【発明の実施の形態】
以下、図面を参照して実施の形態について説明する。
【００２０】
第１図及び第２図は、実施の形態に係るチャイルドシートに用いられるバックル装置の平面図であり、第１図は、トングがバックル装置から離脱した状態を示し、第２図はトングがバックル装置にラッチされている状態を示している。第３図は第１図のＩＩＩ−ＩＩＩ線に沿う断面図、第４図は第２図のＩＶ−ＩＶ線に沿う断面図である。第５図はトングがバックル装置にラッチされていない状態を示す断面斜視図、第６図はトングがバックル装置にラッチされている状態を示す断面斜視図であり、それぞれ第３図及び第４図と同一断面を示している。第７図はこのバックル装置の分解斜視図である。第８図はこのバックル装置のラッチ機構の斜視図であり、第９図は第８図と反対側から見た該ラッチ機構の斜視図である。第８図及び第９図において、（ａ）図はトングがバックル装置にラッチされていない状態を示し、（ｂ）図はトングがバックル装置にラッチされている状態を示している。また、第１０図はラッチプレートの構成を示す図であり、（ａ）図はラッチプレートの斜視図、（ｂ）図は（ａ）図のＢ−Ｂ線に沿う断面図である。第１１図は第４図のＸＩ−ＸＩ線に沿う断面図である。
【００２１】
なお、以下の説明において、バックル装置の先端側及び後端側とは、それぞれ第１図及び第２図における左端側及び右端側をいい、上下方向とは、第３図及び第４図における上下方向をいう。また、トングの前端側とは、該トングのバックル装置への挿入方向の前端側であって、第１図及び第２図における右端側をいう。
【００２２】
バックル装置１０は、チャイルドシート（図示略）に着座した子供着座者の身体を該チャイルドシートに拘束するために、該着座者の両肩を押えるように該着座者の身体の前面に引き回される左右の肩ベルトＢ（第２図）に連結されたトング１Ｌ，１Ｒをラッチするためのものである。このバックル装置１０は、該チャイルドシートの座部から着座者の股間を通るようにして該着座者の身体の前面に引き回されるクロッチベルトＣ（第２図）に連結されている。
【００２３】
このバックル装置１０は、第７図に示す通り、アッパーカバー１０Ａとロアーカバー１０Ｂとからなる外殻を有している。このカバー１０Ａ，１０Ｂの先端面に、トング１Ｌ，１Ｒのトングプレート２Ｌ，２Ｒが一体的に挿入される挿入口１２が設けられている。
【００２４】
該トング１Ｌ，１Ｒは、それぞれ、トングプレート２Ｌ，２Ｒと、該トングプレート２Ｌ，２Ｒの根元部に形成された把持部３Ｌ，３Ｒとから構成されている。この把持部３Ｌ，３Ｒに、それぞれ左右の肩ベルトＢが挿通される挿通孔４Ｌ，４Ｒが設けられている。
【００２５】
トングプレート２Ｌには、該トングプレート２Ｌが挿入口１２に根元付近まで挿入されたときに後述のラッチピン１６が係合するラッチピン係合孔５が設けられている。このラッチピン係合孔５は、該トングプレート２Ｌの挿入口１２への挿入方向と同一方向に長い長孔となっている。
【００２６】
トングプレート２Ｒは、このラッチピン係合孔５の前縁側（トングプレート２Ｌの前端側）にラッチピン１６が係合可能なスペースを残しつつ、該ラッチピン係合孔５の後縁側（トングプレート２Ｌの根元側）に係合可能な形状となっている。即ち、トングプレート２Ｒは、該トングプレート２Ｒが該ラッチピン係合孔５の後縁側に係合した状態にてトングプレート２Ｌが挿入口１２に根元付近まで挿入され、該ラッチピン係合孔５の前縁側のスペースにラッチピン１６が係合して該トングプレート２Ｌがラッチされることにより、該トングプレート２Ｌを介してバックル装置１０に繋留されるようになっている。
【００２７】
トングプレート２Ｒの根元付近には、第１，２図及び第１１図に示すように、ラッチピンロック解除用の突起６が突設されている。
【００２８】
アッパーカバー１０Ａには、トングプレート２Ｌ，２Ｒを迎える側に該突起６の差込口１０ｄが設けられている。
【００２９】
該突起６は、該トングプレート２Ｒがトングプレート２Ｌと一体的に挿入口１２に挿入されたときに、差込口１０ｄに差し込まれる。該差込口１０ｄには、後述のラッチピンロック部材２６が臨んでいる。差込口１０ｄに差し込まれた突起６は、このラッチピンロック部材２６を該アッパーカバー１０Ａ内に押し込むようにして退動させる。
【００３０】
前記カバー１０Ａ，１０Ｂ内には、トングプレート２Ｌ，２Ｒの挿入方向と平行方向に延在したベースプレート１４と、該ベースプレート１４に沿って挿入されたトングプレート２Ｌのラッチピン係合孔５に係合して該トングプレート２Ｌをラッチするラッチピン１６と、該ラッチピン１６を保持しており、該ベースプレート１４に対し接離するよう上下動することにより該ラッチピン１６を該ラッチピン係合孔５に係合及び係合解除させるラッチプレート１８と、該ラッチピン１６及びラッチプレート１８を該ベースプレート１４に接近させる方向に付勢しているコイルスプリング２０，２２と、軸心回りに回転することにより、該ラッチプレート１８をベースプレート１４に対し接近移動及び離反移動させる略円柱形状のキングレバー２４と、トングプレート２Ｌ，２Ｒが挿入口１２に挿入されるまで該ラッチピン１６を退避位置に保持しているラッチピンロック部材２６とが設けられている。
【００３１】
該ラッチピン１６、ラッチプレート１８及びコイルスプリング２０，２２によってラッチ機構が構成されている。
【００３２】
該キングレバー２４は、ベースプレート１４及びラッチプレート１８を貫通するように該ベースプレート１４の板面と垂直方向に延在している。該キングレバー２４の下端側は、ロアーカバー１０Ｂの内側に設けられたキングレバー保持部１０ｂ内に保持されている。また、該キングレバー２４の上端側は、アッパーカバー１０Ａの中央の円形透口１０ａを通って該アッパーカバー１０Ａの外側に延出している。
【００３３】
このキングレバー２４の上端に略円形のラッチ解除操作用部材２８が固着されている。このラッチ解除操作用部材２８には、該ラッチ解除操作用部材２８を手動で回転操作するためのレバー３０が一体に設けられている。該レバー３０は、アッパーカバー１０Ａの外面に沿ってこのラッチ解除操作用部材２８の外周から放射方向に延出している。このレバー３０に手や指を掛けて、該ラッチ解除操作用部材２８を回転操作することができる。
【００３４】
ラッチ解除操作用部材２８は、アッパーカバー１０Ａの上面に沿って配置され、第３，４，７図の通り、ボルト２８ａ、ワッシャ２８ｂ及びブッシュ２８ｃを介してキングレバー２４の上端に固着されている。第７図の通り、キングレバー２４の上端部は角軸となっているので、ラッチ解除操作用部材２８は常に該キングレバー２４と一体に回動する。
【００３５】
また、このキングレバー２４の上端の角軸部分にラッチ解除操作用部材２８の回動範囲を規制するためのプレート４８の中心の角孔が嵌合している。このプレート４８には、キングレバー２４と同軸に略１８０°の範囲に渡って延在するガイド溝４８ａが設けられている。このプレート４８はアッパーカバー１０Ａの上面に重なっている。このアッパーカバー１０Ａの上面から突設されたピン状のストッパ５２が該ガイド溝４８ａに係合している。レバー３０がバックル装置の後方を指向した状態にあるときには、ストッパ５２はガイド溝４８ａの周方向の中間に位置している。操作部材２８を左又は右に９０°回すと、ストッパ５２はガイド溝４８ａの周方向の端部に当接する。
【００３６】
第７図に示すように、ベースプレート１４は、長手方向がトングプレート２Ｌ，２Ｒの挿入方向と平行方向となるように延在した略矩形板状の基片部１４ａと、該基片部１４ａの先端側と所定間隔をおいて平行に対面したガイド片部１４ｂと、該基片部１４ａの長手方向側辺に沿って該基片部１４ａとガイド片部１４ｂとをつなぐ側片部１４ｃとから構成されている。
【００３７】
このベースプレート１４は、該先端側が挿入口１２に臨むように配置されている。トングプレート２Ｌ，２Ｒは、該挿入口１２から該基片部１４ａとガイド片部１４ｂとの間に挿入される。
【００３８】
該基片部１４ａとガイド片部１４ｂとには、それぞれ、差し込まれたトングプレート２Ｌのラッチピン係合孔５に臨む透口３２ａ，３２ｂが設けられると共に、ロアーカバー１０ｂの中央部に設けられた略Ｃ字形筒状のキングレバー保持部１０ｂに臨む透口３４ａ，３４ｂが設けられている。
【００３９】
ロアーカバー１０Ｂには、アッパーカバー１０Ａとロアーカバー１０Ｂとを接合するためのボルト３６が挿通されるボス部３８が設けられている。
【００４０】
基片部１４ａには、このボルト３６の挿通孔１４ｄと、前記クロッチベルトＣが挿通される開口１４ｅが設けられている。アッパーカバー１０Ａとロアーカバー１０Ｂとには、それぞれ、該クロッチベルトを該開口１４ｅに引き通すための透口４０ａ，４０ｂが設けられている。
【００４１】
該基片部１４ａとガイド片部１４ｂとの間に、ラッチピン１６によるトングプレート２Ｌのラッチが解除されたときに該トングプレート２Ｌを挿入口１２から押し出すためのエジェクタ４２が設けられている。このエジェクタ４２は、コイルスプリング４２ａからの付勢力によりトングプレート２Ｌを挿入口１２から押し出す。
【００４２】
該コイルスプリング４２ａは、リテーナ４２ｂにより保持され、このエジェクタ４２とリテーナ４２ｂとの間に介在されている。リテーナ４２ｂは円環状であり、前記キングレバー保持部１０ｂに外嵌している。リテーナ４２ｂは、基片部１４ａとガイド片部１４ｂとの間に配置されており、トングプレート２Ｌに正対する側周面にコイルスプリング４２ａの後部を収容する凹穴が設けられている。
【００４３】
ラッチプレート１８は、鉤形板状となっており、長手方向がトングプレート２Ｌ，２Ｒの挿入方向と平行方向となるように延在されている。このラッチプレート１８には、ベースプレート１４の透口３２ａ，３２ｂと臨むようにして、ラッチピン１６を保持するためのＪ字形状部１８ａが設けられている。また、このラッチプレート１８には、キングレバー２４を挿通させるための開口１８ｂが設けられている。
【００４４】
このラッチプレート１８の一方の長手方向側辺を切り欠くようにして、ラッチピンロック部材２６のロックアーム２６ａが通過可能な透溝１８ｃが設けられている。
【００４５】
ラッチピン１６は、有底円筒状のコイルスプリング保持部１６ａと、該保持部１６ａの上端側の側周面から側方に張り出したフランジ１６ｂとを有したハット形状となっている。該保持部１６ａは、ラッチプレート１８のＪ字形状部１８ａ内に入り込んでいる。このラッチピン１６はコイルスプリング２０によって付勢されており、フランジ１６ｂがラッチプレート１８のＪ字形状部１８ａの内周縁部に押し付けられている。このフランジ１６ｂの一部は、第８，９図の通り、前記透溝１８ｃ内に張り出している。このフランジ１６ｂの張り出した部分に後述するラッチピンロック部材２６のロックアーム２６ａが図の下側から当接可能となっている。
【００４６】
アッパーカバー１０Ａから該コイルスプリング保持部１６ａに内嵌するようにガイドコラム１０ｃ（第４図）が突設されている。コイルスプリング２０は、ガイドコラム１０ｃ内に挿入され、アッパーカバー１０Ａと、該コイルスプリング保持部１６ａとの間に蓄力状態にて介在している。
【００４７】
なお、ガイドコラム１０ｃは、ラッチピン１６のコイルスプリング保持部１６ａに摺動自在に内嵌しており、該ラッチピン１６はこのガイドコラム１０ｃに沿って第３図〜第６図の上下方向に進退可能となっている。
【００４８】
前記コイルスプリング２２は、キングレバー２４と同軸状に配置され、該ラッチプレート１８とアッパーカバー１０Ａとの間に蓄力状態にて介在している。
【００４９】
第９，１０図に明示の通り、ラッチプレート１８の下面には、該開口１８ｂの縁部に沿って１対のカム山片４４，４４が立設されている。第９，１０図では、紙面の手前側のカム山片４４は根元で破断された状態にて図示されており、この破断した根元部分にハッチング付されている。
【００５０】
カム山片４４の立設方向の先端面（下面）にカム面４４ａが形成されている。このカム面４４ａは、該カム山片４４の延在方向（開口１８ｂの周方向）の中間付近が最も高い尖頭状となっており、その両側が該ラッチプレート１８の下面に接近していく斜面を形成している。
【００５１】
キングレバー２４の下端側には、第７図〜第９図に示すように、該キングレバー２４を直径方向に貫通する孔２４ａが穿設されており、この孔２４ａにレバーピン４６が挿通されている。このレバーピン４６の両端は、それぞれ該キングレバー２４の側周面から側外方に延出し、各カム山片４４のカム面４４ａに摺動可能に当接している。このレバーピン４６は丸棒よりなっている。このため、レバーピン４６は、カム山片４４ａの尖頭部に当接した状態にて操作部材２８から手を離すと、カム面４４ａに沿って滑動してカム山片４４，４４同士の谷間状部分に落ち込むようになっている。
【００５２】
コイルスプリング２２が、ラッチプレート１８を該レバーピン４６に押し付けるように付勢しているので、キングレバー２４が回転すると、第９図（ａ），（ｂ）及び第１０図（ｂ）に示すように、このレバーピン４６が各カム面４４ａに沿って摺動し、ラッチプレート１８がキングレバー２４の軸心線方向に移動する。即ち、キングレバー２４が回転すると、このレバーピン４６がカム面４４ａに沿って摺動するのに伴い、ラッチプレート１８がベースプレート１４に対し接近移動及び離反移動する。
【００５３】
第４図及び第９図（ｂ）では、レバーピン４６がカム山片４４，４４同士の谷間に落ち込み、ラッチプレート１８がベースプレート１４（第９図（ｂ）では図示略）に最接近した状態となっており、ラッチピン１６が前記透口３２ａを介してトングプレート２Ｌのラッチピン係合孔５に係合している。
【００５４】
第３図及び第９図（ａ）の通り、レバーピン４６がカム面４４ａの最頂部に位置しているときには、ラッチプレート１８がベースプレート１４から最も離反するように上方に移動しており、ラッチピン１６がトングプレート２Ｌのラッチピン係合孔５から抜け出し、該ラッチピン１６によるトングプレート２Ｌのラッチが解除されている。
【００５５】
ラッチピンロック部材２６は、第７図に示すように、ロックアーム２６ａと、該ロックアーム２６ａの一端側から直角に曲成されたプッシュロッド２６ｂとから構成された略Ｌ字形の部材である。このラッチピンロック部材２６は、該ロックアーム２６ａがラッチプレート１８の板面の延在方向と平行方向に且つ該ラッチプレート１８の透溝１８ｃの延在方向と平行方向に延在すると共に、該プッシュロッド２６ｂがトングプレート２Ｌ，２Ｒの挿入方向と平行方向に延在するように配置されている。このプッシュロッド２６ｂの先端は、アッパーカバー１０Ａの先端面に設けられた突起差込口１０ｄに臨むように配置されている。
【００５６】
第１１図の通り、このラッチピンロック部材２６は板バネ２６ｃを介してアッパーカバー１０Ａに支持されている。
【００５７】
該ロックアーム２６ａは、第８図（ａ）に示すように、トングプレート２Ｒが挿入口１２に挿入されておらず、プッシュロッド２６ｂの先端が突起差込口１０ｄに臨んでいるときには、該透溝１８ｃ内に張り出しているラッチピン１６のフランジ１６ｂの下面に当接し、該ラッチピン１６がトングプレート２Ｌのラッチピン係合孔５に係合することを阻止する。トングプレート２Ｒが挿入口１２に挿入されると、前記ラッチピンロック解除突起６が該プッシュロッド２６ｂをアッパーカバー１０Ａ内に押し込むようにしてこのラッチピンロック部材２６を退動させる。これに伴い、第８図（ｂ）に示すように、該ロックアーム２６ａが該フランジ１６ｂから外れる。
【００５８】
該ロックアーム２６ａがフランジ１６ｂから外れると、該ラッチピン１６がコイルスプリング２０の付勢力により下方へ移動し、前記透口３２ａを介してトングプレート２Ｌのラッチピン係合孔５に係合して該トングプレート２Ｌをラッチする。
【００５９】
この実施の形態では、第２図及び第４図に示すように、前記レバー３０は、トングプレート２Ｌがラッチされているとき、即ちレバーピン４６がカム山片４４，４４同士の谷間に落ち込んだ状態となっているときに、バックル装置１０の後端側に向って延在するように配置されている。
【００６０】
このように構成されたバックル装置において、トングプレート２Ｌ，２Ｒを挿入口１２に差し込んだラッチ状態にあっては、コイルスプリング２０に付勢されたラッチピン１６がトングプレート２Ｌのラッチピン係合孔５に入り込んでおり、トングプレート２Ｌが挿入口から離脱不能にラッチされている。トングプレート２Ｒは、トングプレート２Ｌに係止されている。
【００６１】
このラッチ状態にあっては、第４図、第６図、第８図（ｂ）、第９図（ｂ）及び第１１図の通り、ロック部材２６のロックアーム２６ａはラッチピン１６のフランジ１６ｂから外れている。また、ラッチ解除操作用部材２８のレバー３０は後方を向いており、ラッチプレート１８はコイルスプリング２２に押されてベースプレート１４に最接近している。エジェクタ４２はトングプレート２Ｌに押されて最後退位置にまで押し込まれている。
【００６２】
トングプレート２Ｌ，２Ｒのラッチを解除するには、ラッチ解除操作用部材２８のレバー３０を掴んで該ラッチ解除操作用部材２８を約９０°左又は右に回す。これにより、レバーピン４６がカム山片４４のカム面４４ａに沿って摺動し、ラッチプレート１８が第４図から第３図の状態へ押し上げられる。このラッチプレート１８がラッチピン１６のフランジ１６ａを押し上げ、ラッチピン１６をトングプレート２Ｌのラッチピン係合孔５から引き抜く。ラッチピン係合孔５からラッチピン１６が抜け出すと、エジェクタ４２に押されていたトングプレート２Ｌが挿入口１２から押し出され、トングプレート２Ｒもこれと一緒に挿入口１２から排出される。
【００６３】
第３図の如くトングプレート２Ｌ，２Ｒが挿入口１２から退出した後に、レバー３０から手を離すと、コイルスプリング２２に押されたラッチプレート１８が押し下げられ、この際、カム面４４ａに沿ってレバーピン４６が摺動し、カム山片４４，４４間の谷間にレバーピン４６が落ち込む。このようにレバーピン４６がカム面４４ａに沿って移動するのに伴って、キングピン２４が約９０°回転し、レバー３０が元のバックル装置後方を指向した状態に復帰する。
【００６４】
この状態は、第３図においてラッチプレート１８が第４図の如くベースプレート１４に重なるように下降し、ラッチ解除操作用部材２８が第４図の如く後方を向いている状態である。なお、ラッチピン１６は第３図の如く上方に退避しており、ロック部材２６のロックアーム２６ａによって係止され、退避状態に保たれている。エジェクタ４２は第３図の通り前進している。
【００６５】
この状態がトング未装着のトング装着待機状態である。
【００６６】
このトング装着待機状態においてトングプレート２Ｌ，２Ｒが挿入口１２に差し込まれると、トングプレート２Ｒのラッチピンロック解除突起６がロック部材２６のプッシュロッド２６ｂを押し、ロックアーム２６ａがフランジ１６ｂから外れ、ラッチピン１６がコイルスプリング２０に押されてラッチピン係合孔５に入り込んで前述の第４図、第６図、第８図（ｂ）、第９図（ｂ）及び第１１図のラッチ状態となる。その後のラッチ解除動作は上記の通りである。
【００６７】
このように、このバックル装置１０にあっては、レバー３０に手や指を掛けてラッチ解除操作用部材２８を回転させることができるため、女性等の比較的手の小さい操作者や比較的握力の弱い操作者であっても、ラッチ解除操作用部材２８の回転操作を容易に行うことが可能である。
【００６８】
この実施の形態では、レバー３０は、トングプレート２Ｌ，２Ｒがラッチされているときにはラッチ解除操作用部材２８から該バックル装置の後端側を指し示す如く延在している。また、トングプレート２Ｌ，２Ｒのラッチ解除操作したときには、該レバー３０は該バックル装置１０の側方を指向している。このように、このバックル装置１０にあっては、トングプレート２Ｌ，２Ｒがラッチされているときと、トングプレート２Ｌ，２Ｒのラッチ解除操作時とのレバー３０の方向の違いが明瞭であるため、トングプレート２Ｌ，２Ｒが該バックル装置１０にラッチされているか否かを一見して認識することができる。
【００６９】
なお、上記の実施の形態は本発明の一例であり、本発明はこの実施の形態に限定されるものではない。
【００７０】
【発明の効果】
以上の通り、本発明のバックル装置によると、女性等の比較的手の小さい操作者や比較的握力の弱い操作者であっても容易にラッチ解除操作用部材を回転操作してトングのラッチを解除することができる。
【００７１】
また、本発明によると、トングが完全にラッチされているか否かを一見して認識することができるよう構成することも可能である。
【００７２】
本発明によると、かかるバックル装置を備えたチャイルドシートが提供される。
【図面の簡単な説明】
【図１】実施の形態に係るバックル装置の平面図であり、トングがバックル装置から離脱した状態を示している。
【図２】実施の形態に係るバックル装置の平面図であり、トングがバックル装置にラッチされているときの状態を示している。
【図３】図１のＩＩＩ−ＩＩＩ線に沿う断面図である。
【図４】図２のＩＶ−ＩＶ線に沿う断面図である。
【図５】トングがバックル装置にラッチされていないときの状態を示す断面斜視図であり、図３と同一断面を示している。
【図６】トングがバックル装置にラッチされているときの状態を示す断面斜視図であり、図４と同一断面を示している。
【図７】バックル装置の分解斜視図である。
【図８】バックル装置のラッチ機構の斜視図である。
【図９】図８と反対側から見たラッチ機構の斜視図である。
【図１０】ラッチプレートの構成図である。
【図１１】図４のＸＩ−ＸＩ線に沿う断面図である。
【符号の説明】
１Ｌ，１Ｒ  トング
２Ｌ，２Ｒ  トングプレート
５  ラッチピン係合孔
６  ラッチピンロック解除突起
１０  バックル装置
１２  挿入口
１４  ベースプレート
１６  ラッチピン
１８  ラッチプレート
２０，２２  コイルスプリング
２４  キングレバー
２６  ラッチピンロック部材
２８  ラッチ解除操作用部材
３０  レバー
４４  カム山片
４４ａ  カム面
４６  レバーピン
【図１】
2004148924.tif 000003
【図２】
2004148924.tif 000004
【図３】
2004148924.tif 000005
【図４】
2004148924.tif 000006
【図５】
2004148924.tif 000007
【図６】
2004148924.tif 000008
【図７】
2004148924.tif 000009
【図８】
2004148924.tif 000010
【図９】
2004148924.tif 000011
【図１０】
2004148924.tif 000012
【図１１】
2004148924.tif 000013